(57)【特許請求の範囲】
【請求項１】
長尺材送り部と、長尺材矯正部とを含み、前記長尺材矯正部は、前記長尺材送り部に対し直接または間接的に固定されたサドルと、該サドルに設けられたガイドレールと、該ガイドレールに摺動自在に装架された摺動台と、該摺動台に設置された矯正手段とを含み、前記サドルと前記摺動台との間には、反長尺材送り方向に常に付勢する後退手段が設けられたことを特徴とする線材，棒材，管材などの長尺材加工機における長尺材矯正装置。
【請求項２】
長尺材送り部と、長尺材矯正部とを含み、前記長尺材矯正部は、前記長尺材送り部に対し直接または間接的に固定されたサドルと、該サドルに設けられたガイドレールと、該ガイドレールに摺動自在に装架された摺動台と、該摺動台に設置された矯正手段とを含み、前記サドルと前記摺動台との間には、長尺材の後退を感知する手段と、該感知手段の信号を受けて作動する後退手段が設けられたことを特徴とする線材，棒材，管材などの長尺材加工機における長尺材矯正装置。
【発明の詳細な説明】
【０００１】
【発明の属する技術分野】
本発明は、線材，棒材，管材などの長尺材加工機における長尺材矯正装置に関する。
【０００２】
【従来の技術】
線材を矯正装置を通して屈曲機に導入し屈曲加工し、切断するものは既に知られている（例えば、特公昭６３−１６２１４号公報）。
【０００３】
【発明が解決しようとする課題】
この従来装置では、屈曲加工を終えて切断するとき、線材は一旦後退されるが、このとき、後退する線材が矯正ローラー群等の矯正手段で不用意に曲げられたり（腰曲がり現象）、不必要に再矯正されてしまう恐れがあった。
本発明は上記課題を解決し、長尺材の加工において、長尺材の後退時に矯正手段の影響を受けないようにした長尺材加工機における長尺材矯正装置を提供することを目的とする。
【０００５】
【課題を解決するための手段】
上記課題を解決するため、本発明の構成は次のとおりとする。即ち、第１構成は、長尺材送り部と、長尺材矯正部とを含み、前記長尺材矯正部は、前記長尺材送り部に対し直接または間接的に固定されたサドルと、該サドルに設けられたガイドレールと、該ガイドレールに摺動自在に装架された摺動台と、該摺動台に設置された矯正手段とを含み、前記サドルと前記摺動台との間には、反長尺材送り方向に常に付勢する後退手段が設けられたことである。
【０００６】
第２構成は、長尺材送り部と、長尺材矯正部とを含み、前記長尺材矯正部は、前記長尺材送り部に対し直接または間接的に固定されたサドルと、該サドルに設けられたガイドレールと、該ガイドレールに摺動自在に装架された摺動台と、該摺動台に設置された矯正手段とを含み、前記サドルと前記摺動台との間には、長尺材の後退を感知する手段と、該感知手段の信号を受けて作動する後退手段とが設けられたことである。
【０００７】
【発明の実施の形態】
以下に本発明の実施態様を図面に示す一実施例にもとづき説明する。図１の全体正面図において、線材コイル・スタンドＶ1にコイル状に溜められた線材（フープ材）Ｗが、繰り出しガイドＶ2を介して、本発明装置に係る矯正装置Ａに通され、送り量検出ローラーＢ，線材送りローラーＣを経て、線材屈曲装置Ｄへ送り込まれる。
【０００８】
図２〜４において、前記線材矯正部Ａは、前記線材送り部Ｃに対し送り量検出ローラーＢを介して間接的に固定されたサドル２と、該サドル２に設けられたガイドレール３と、該ガイドレール３に摺動自在に装架された摺動台４と、該摺動台４に設置された矯正ローラー群６とを含む。そして、前記サドル２と前記摺動台４との間には、反線材送り方向に常に付勢する後退手段たる引っ張りバネ１１が設けられている。
【０００９】
前記サドル２は直方体状の枠体からなり、広い前面が鉛直面内にある。この前面に水平方向に長いガイドレール３が取り付けられる。ガイドレール３を抱持したシュー４ｂ（直線運動軸受け）が摺動台本体４ａの背面に取り付けられる。摺動台の前面には、鉛直面内に展延する直方体状の第１取付台枠５ａが固定され、これの前面に縦矯正ローラー群６ａが取り付けられる。第１取付台枠５ａから線材送り方向に線材ガイド１２が張り出す。また、前記第１取付台枠５ａの側面には、水平面内に展延する直方体状の第２取付台枠５ｂが固定され、その上面に横矯正ローラー群６ｂが取り付けられる。
【００１０】
前記連結板１は摺動台４の前限ストッパ８を兼ね、摺動台４側にクッション付き当たり片（ショックアブソーバー）９が取り付けられる。また、摺動台４の後限ストッパ１０がサドル２の前面でガイドレール３を挟んで上下に設けられる。そして、これらの後限ストッパ１０に一端を係止された引っ張りバネ１１の他端が摺動台４の背面に係止される。
【００１１】
以上において作動状態を説明する。今、図１において、線材送りローラーＣを駆動させて線材Ｗを右方へ送って、線材屈曲装置Ｄへ送り込む。このとき線材Ｗは矯正部Ａのローラー群６ａ，６ｂにおいて、屈曲矯正作用を受けながら右方へ通過するので、矯正部Ａの摺動台４は、引っ張りバネ１１に抗してそれを伸ばしながら、連結板１に当たり片９が当接することにより、右限位置を保つ。
【００１２】
次に、線材Ｗが屈曲装置Ｄで切断作用を受けるために或る距離だけ後退されると、線材Ｗに係合しているローラー群６ａ，６ｂと共に、摺動台４が引っ張りバネ１１の弾性復元力により後退して、引っ張りバネ１１は収縮しつつ摺動台４を後限ストッパー１０に当たる以前に停止させる。従って、線材Ｗは後退時に矯正ローラー群６ａ，６ｂで曲げられるか、再矯正などの影響を受けることがない。
【００１３】
前記実施例では摺動台４を引っ張りバネ１１で後退側に付勢したが、これに代えて、動力手段で後退させてもよい。即ち、前記サドル２と前記摺動台４との間には、線材の後退指令信号を受けて作動する動力後退手段が設けられる。例えば、摺動台４にラックが固定され、これにかみ合うピニオンが原動機駆動の可逆モーター、または捩りバネで回転されるよう構成される。
【００１４】
また、前記引っ張りバネ１１に代えて、摺動台４に結着されたロープが案内プーリを介して下方に導かれ、その下端に重りが取り付けられる。更に、線材と矯正ローラー群との間の摩擦力（抵抗力）と、摺動台とガイドレールとの間の摩擦力との関係で、例えば、線材の後退に伴ってほぼ一体的に摺動台も後退するとき、前記引っ張りバネなどの後退手段は省略できる場合がある。
【００１５】
前記矯正手段として、前記ローラー群６ａ，６ｂに代えて、図５に示したものも適用される。この装置６０は、公知のもので、２枚の端円板６１，６１（中心に貫通孔を持つ）が同心で間隔を存して２本のステー棒６２，６２で結合される。各ステー棒に複数の矯正片６３が等間隔で固定され、かつ、ステー棒の相互間では千鳥配置となっている。前記矯正片６３は２枚の端円板６１，６１の中心を通る軸線を横切る程度にステー棒６２から張り出している。そして、端円板６１の外側面に同心に中空短軸６４が固定され、これらの中空短軸は軸受け６５で回転自在に支持される。
【００１６】
端円板６１，ステー６２及び矯正片６３が、ベルト伝動部６６を介してモーター６７により、一体として回転される。そして、線材Ｗは一方端円板６１の貫通孔から導入され、矯正片６３の間を波形に屈曲されながら通過し、他方端円板の貫通孔から出ていき、その間に矯正されるのである。
【００１７】
本発明は前記した実施例や実施態様に限定されず、特許請求の精神および範囲を逸脱せずに種々の変形を含む。
【００１８】
【発明の効果】
本発明の構成により、長尺材の加工において、長尺材はその後退時に矯正手段の影響を受けないこととなった。
【図面の簡単な説明】
【図１】  本発明の一実施例を含む装置全体の概略正面図である。
【図２】  図１の要部（矯正部）の拡大図である。
【図３】  図２の平面図である。
【図４】  図２のＹ−Ｙ断面図である。
【図５】  矯正部の他の実施例の断面図である。
【符号の説明】
Ｗ  線材
Ａ  線材矯正部
Ｂ  線材送り量検出部
Ｃ  線材送り部
Ｄ  線材屈曲部
１  連結板
２  サドル
３  ガイドレール
４  摺動台
４ａ  本体
４ｂ  シュー
５ａ  第１取付台枠
５ｂ  第２取付台
６ａ  縦矯正ローラー群
６ｂ  横矯正ローラー群
８  前限ストッパ
９  クッション付き当たり片
１０  後限ストッパ
１１  引っ張りバネ
１２  線材ガイド
【図１】
0004390029.tif 000002
【図２】
0004390029.tif 000003
【図３】
0004390029.tif 000004
【図４】
0004390029.tif 000005
【図５】
0004390029.tif 000006